【事件の表示】
　特許第２９４３８４９号「パチンコ機」の請求項１に係る特許に対する特許異議の申立てについて、次のとおり決定する。
【結　論】
　特許第２９４３８４９号の請求項１に係る特許を維持する。
【理　由】
【１】手続きの経緯
　特許２９４３８４９号の発明（以下「本件発明」という。）は、昭和６０年３月１４日に出願した、特願昭６０−４９３８６号を分割して出願した、特願平５−１１４２８２号を分割して出願（特願平７−１６９３４１号）したものであって、平成１１年６月２５日に特許の設定登録がなされた。
　これに対して、「上田実」より特許異議の申立てがなされ、取消理由通知がなされ、その指定期間内である平成１２年９月２５日に特許異議意見書が提出され、上記異議申立人への審尋に対して、その指定期間内である平成１２年１２月２６日に審尋に対する回答書が提出された。
　
【２】特許異議申立てについての判断
（１）本件発明
　本件発明は、特許明細書の請求項１に記載された事項により特定される以下のとおりのものである。
　「電源回路部と、可変入賞口を駆動するための可変入賞口駆動手段、表示器、ランプ並びに音声報知のための音駆動回路を有する作動部と、前記作動部を制御するためのＣＰＵ、ＲＯＭ並びにＲＡＭを備える制御部とを有し、
前記電源回路部を、外部交流電源に接続されるブリッジ整流回路と、前記ブリッジ整流回路の後段に設けられた平滑回路と、前記平滑回路の後段に設けられたスイッチングレギュレータＩＣからなる定電圧回路と、前記定電圧回路の後段に並列接続された複数のコンデンサからなるラインノイズ消去回路とにより構成し、前記作動部に作動部電源電圧を供給する作動部電源電圧供給端子を、前記ブリッジ整流回路と前記定電圧回路との間に複数設け、前記作動部電源電圧よりも低い制御部電源電圧を前記制御部に供給する制御部電源電圧供給端子を、前記定電圧回路と前記ラインノイズ消去回路との間に設けたことを特徴とするパチンコ機。」
　
（２）異議申立ての理由の概要
　申立人は、証拠として甲第１〜５号証を提出し、本件発明は、甲第１，２号証および周知技術に基いて当業者が容易に発明をすることができたものであり、特許法第２９条第２項の規定により、特許を受けることができないのものであるから、本件発明の特許を取り消すべき旨主張している。
　
（３）甲号各証
　上記甲号各証には、下記の事項が図面とともに記載されている。
＜甲第１号証（特開昭５９−１７１５７０号公報）＞
　「第２図は制御パルス発生用電気回路３の詳細を示すもので、ＢＲはＡＣ電源に接続されたダイオード整流回路、Ｒ６は電流リミッター用抵抗、Ｃ０はロータリーソレノイド駆動用エネルギーを蓄積する電源用コンデンサで、両端子はＬ電気弁Ｑ２（こゝではトランジスタ）を介してロータリーソレノイド２に接続されている。
　ＩＣ２は定電圧電源用ＩＣ，Ｃ１は平滑用コンデンサ、ＩＣ１は単安定マルチバイブレータ回路から成るパルス発生用ＩＣ、ＣＳ１はパルス発生周期設定用コンデンサ、ＲＳ１は前記の操作ハンドルと連動するパルス発生周期調整用可変抵抗、Ｒ１はパルス出力用抵抗、Ｃ２はパルスカップリングコンデンサ、Ｒ２はパルス入力用帰環抵抗、ＩＣ２は出力パルス巾設定用ＩＣ，ＣＳ２は出力パルス巾設定用コンデンサ、ＲＳ２は出力パルス巾設定用抵抗、Ｒ３は駆動出力パルス用抵抗、Ｑ２は電圧リミツター用電気弁（こゝではトランジスタ）、ＺＤは電圧リミツター値設定用ツエナーダイオード、Ｃ３はロータリーソレノイド駆動突入時最大電力供給時間設定コンデンサ、Ｄはロータリーソレノイドの逆起電力吸収用フライホイルダイオードである。
　一般にパチンコ遊技場等においては特別の資格等が無くても場内の電気配線を行い得るように交流２４Ｖの電源を使用しているが、この実施例でも電源には前記２４Ｖ交流電源を使用する。
　第２図に例示した制御パルス発生用電気回路は、ロータリーソレノイド２の駆動エネルギを交流２４Ｖ電源を使つて、一旦電源用コンデンサＣ０に蓄積し、パルス発生回路によつて制御される電気弁Ｑ１を開いて一気に蓄積エネルギをロータリーソレノイド２に供給して駆動させるもので、この省エネルギー構造の電源部と、定電圧電源用ＩＣ２によりパルス発生周期、即ち、ロータリーソレノイド２の駆動周期を安定化ならしめている。
　そしてこの駆動周期は可変抵抗ＲＳ１を手動ハンドルによつて調整することにより遊技者の意向を応じて自由に変更でき、電気弁Ｑ２、抵抗Ｒ３、ツエナーダイオードＺＤ及びコンデンサＣ３から成る電圧リミツター回路を出力側に設けることにより、ロータリーソレノイド２には定トルク発生電力が供給され安定した動作が行なわれる。」（第２頁左上欄第１９行〜左下欄第２０行）、
　「以上のようにこの発明によれば、打球間隔を無段階に自由に変化させ得る小型で省エネルギの装置を提供することができ、実用上打球間隔制御装置として好適なものである。」（第２頁右下欄第４〜７行）。
＜甲第２号証（特開昭５９−１４９１６６号公報）＞
　「第８図はこの発明の他の実施例の回路図である。・・・不能動化手段を次のように構成した・・・この実施例では、端子ｐ１１，ｐ１２に供給される電源周波数ｆＯが基準周波数ｆＳを越えた場合に、モータ２３への電力供給を停止するのに加えて、またはそれに代えて、タッチ検出回路６０を不能動化させること、および／またはパチンコ機のゲーム制御を行なうための回路を不能動化させるようにしたものである。
　次に、この実施例が第１図と異なる点について、より具体的に説明する端子ｐ１１，ｐ１２には、整流回路（または全波整流回路）８１が接続される。整流回路８１の出力端には、コンデンサ８２、リレーコイル８３およびトランジスタ８４の直列回路、リレー接点８５およびタッチ検出回路６０の直列回路、ならびにリレー接点８６およびゲーム制御回路８７の直列回路がそれぞれ並列接続される。
　ここで、トランジスタ８４は、フリップフロップ４２２の出力Ｑがハイレベルのとき導通して、リレーコイル８３を駆動させるものである。リレーコイル８３は、その励磁によって、常閉接点８５および８６を開成させる。ゲーム制御回路８７は、たとえば入賞玉に応じて賞品玉を払出したり、遊技状態に基づいて入賞装置を入賞し易い状態に開成させたりするような、ゲームのための制御を行なうものである。」（第７頁左上欄第１０行〜右上欄第１７行）。
＜甲第３号証（特開昭５９−２００６７４号公報）＞
　「第１図はパチンコ機１の正面図であつて、その遊技盤２の中央には４個のセブンセグメント方式の数値表示器（以下ＬＥＤという）３ａ〜３ｄが設けられているとともに、その両側及び下側にはＧＯチヤツカー４ａ，４ｂ，４ｃが設けられている。中央ポケツト５は前記下側ＧＯチヤツカー４ｃの下側に設けられ、その中央ポケツト５に設けられた開閉扉５ａが開閉運動し、開いているときパチンコ球の入賞が可能となり、閉じているときパチンコ球の入賞が不能となる。４個の入賞ランプ（以下Ｖランプという）６はそれぞれ前記上部のＬＥＤ３ａの両側部と前記中央ポケツト５の両側部に配設されている。押ボタンスイツチ７はパチンコ機１の球発射用の操作ハンドル８，球受皿９等が設けられている前枠１０の右側に設けられ、前記各ＬＥＤ３ａ〜３ｄの表示動作停止タイミングを制御するために用いられる。」（第２頁左上欄第１３行〜右上欄第９行）、
　「電源回路１７は９Ｖの交流電源から５Ｖの直流電源を又、２４Ｖの交流電源から２４Ｖの直流電源を作り、各回路に動作電流として供給するようになつていて、具体的には第７図に示す回路で構成されている。
　制御回路１４は中央処理装置（ＣＰＵ）であつて、前記検出回路１３から検出信号ＳＧ１，ＳＧ２及びオン信号ＳＧ３、又クロツク回路１５及びリセツト回路１６からそれぞれクロツク信号ＳＧ４及びリセツト信号ＳＧ５を入力し、これら各信号ＳＧ１〜ＳＧ５に応答して演算処理動作を行う。読出し専用メモリ（以下ＲＯＭという）１８は制御プログラムが記憶されている。読出し及び書替え可能なメモリ（以下ＲＡＭという）１９は各アドレスチビツトで構成され、動作プログラムを記憶するプログラム記憶領域（０００番地〜７０Ｆ番地）と第８図に示すように各種データを記憶するデータ記憶領域（８００番地〜ＢＦ１番地）とで構成されている。」（第２頁左下欄第１７行〜右下欄第１５行）、
　「表示駆動回路２０は前記制御回路１４からの表示制御信号ＳＧ８に基づいて前記各ＬＥＤ３ａ〜３ｃを駆動制御するようになつていて、具体的には第４図に示す回路で構成されている。スピーカ駆動回路２１は前記制御回路１４からの音制御信号ＳＧ７に基づいて前記パチンコ機１の遊戯盤２の裏面に設けられたスピーカ２２を鳴らすようになつていて、具体的には第５図に示す回路で構成されている。」（第３頁左上欄第４〜１２行）。
＜甲第４号証（特開昭６１−１５９９７４号公報）＞
　当該証拠は、本件の出願遡及日後に頒布されたものであり、特許法第２９条第２項についての判断を行う際に参酌できないものであるから、開示内容についての記載を省略する。
＜甲第５号証（特公昭５５−２４９０７号公報）＞
　「交流電源ＡＣ１００Ｖを受ける電源、ブロツク１１０は、ＡＣ１００Ｖを受けて３つの出力、すなわちＤＣ＋５Ｖ，ＡＣ１０ＶおよびＡＣ１００Ｖを各出力端に出力する。前記ＤＣ＋５Ｖは入力ブロツク１２０およびその他の駆動用電源として与えられ、ＡＣ１０Ｖは計数ブロツク１２０の計数クロツクタイミング信号として用いられ、ＡＣ１００Ｖはモータを駆動するためのモータ駆動出力を導出する出力ブロツク１４０に与えられる。」（第２頁左欄第３０〜３９行）、
　「第２図はこの第１図に従つた好ましい実施例の機能的ブロツクダイヤグラムである。構成において端子Ｐ１に入力される交流電源ＡＣ１００Ｖは、電源スイツチ１１１を介して電源回路１１２に印加されるとともに、出力ブロツクに印加される。この電源回路１１２は、ＡＣ１００Ｖを受けて＋５Ｖの安定化直流出力ＤＣ＋５Ｖを導出するとともに、変圧して約１０Ｖの交流出力ＡＣ１０Ｖを導出する。前記直流出力ＤＣ＋５Ｖは、後述の入力回路１２１および積分回路に与えられる。」（第２頁右欄第３〜１２行）、
　「電源スイッチ１１１が第３図ａのごとくオンされると、応じて電源回路１１２は、第３図ｂで示すようなＡＣ１００Ｖが入力される。従つてこの電源回路１１２からは、このＡＣ１００Ｖの入力波形と相似（同期）したＡＣ１０Ｖが出力され、クロツクパルス発生回路１３２に入力される。そのためクロツクパルス発生回路１３２は、このＡＣ１０Ｖを半波整流して正極性成分のみを抽出しさらに波形整形して第３図ｃのような、その立上がりがＡＣ１００Ｖ入力かつ従つてＡＣ１０Ｖの立上りと一致した正極性のクロツクタイミングパルスが出力される。
　一方、電源スイツチ１１１をオンすると電源回路１１２はＤＣ＋５Ｖ出力を導出し、コンデンサ１３８と抵抗１３９とから成る積分回路に印加する。しかしながら、コンデンサ１３８の立上り期間内（充電時間）ではこの微分回路出力はローレベル（ＬｏｗＬｅｖｅｌ；以下「Ｌ」）であり、その立上り期間経過後にハイレベル（ＨｉｇｈＬｅｖｅｌ；以下「Ｈ」）出力となる。そのため前記「Ｌ」の期間中にＮＡＮＤゲート１３７の他方入力として「Ｌ」，「Ｈ」いずれが入力されてもその出力は「Ｈ」となる。そのため、この微分回路出力をその一方入力として受けるＮＡＮＤゲート１３７の出力端子Ｐ３には、第３図ｄに示すような、オートクリアおよびリセツト出力が得られ、単安定マルチ１３１とＤ形ＦＦ１３３とＱ，
Ｑ
　また、入力回路１２１が、入力端子Ｐ２がスタートパルスによって閉成されるかあるいはＤＣ＋５Ｖの印加によつて、第３図ｅに示す、パルスが入力されると、この入力回路１２１はこの入力パルスのチヤタリング等をなくした立上りの鋭いパルスに波形整形し、第３図ｆに示す、スタートパルスを出力する。」（第３頁左欄第２３行〜右欄第１５行。なお、「
Ｑ
　
（４）対比・判断
　本件発明と甲号各証記載のものとを対比すると、甲号各証記載のものには、少なくとも本件発明の「定電圧回路の後段に並列接続された複数のコンデンサからなるラインノイズ消去回路」及び「作動部電源電圧よりも低い制御部電源電圧を制御部に供給する制御部電源電圧供給端子を、定電圧回路と前記ラインノイズ消去回路との間に設けた」点について何等記載されておらず、示唆もない。
　そして、本件発明は、上記構成と他の構成とが相俟って、「作動部電源電圧と制御部電源電圧とを単一の電源回路部により生成でき、作動部用と制御部用とに電源回路をそれぞれ個別に設ける必要がなくなり」「ＣＰＵ、ＲＯＭ及びＲＡＭを備えた制御部の電源ノイズによる誤動作を防止でき」る等の明細書記載の作用効果を奏するものである。
　したがって、本件発明は、甲第１，２号証及び周知技術に基いて当業者が容易に発明をすることができたものとは、いえない。
　
（５）むすび
　以上のとおりであるから、特許異議申立ての理由及び証拠によっては、本件発明についての特許を取り消すことはできない。
　また、他に本件発明についての特許を取消すべき理由を発見しない。（なお、上記審尋に関する回答書についても検討したが同様である。）
　よって、結論のとおり決定する。
【異議決定日】
平成１３年１月１２日（２００１．１．１２）